(57)【特許請求の範囲】
【請求項１】
消費者が購入した商品の購買記録となり、または享受した役務の記録となる画像出力媒体を発行するシステムであって、
消費者が自ら購入した商品または自ら享受した役務情報を取得する手段を有する店舗装置と、
消費者が自ら購入した商品または自ら享受した役務の画像出力媒体発行要求を受け付ける手段を有する画像発行要求受付装置と、
上記画像出力媒体発行要求に基づき出力指示のあった画像出力媒体の発行を行う画像出力装置と、
上記店舗装置と上記画像発行要求受付装置と上記画像出力装置とネットワークを介して通信可能に構成された画像情報管理装置とを有し、
上記画像情報管理装置は、上記店舗装置より送られた商品または役務情報を受け付ける第一の受付手段、上記受け付けた商品または役務情報を記憶する第一の記憶手段、上記商品または役務情報に応じた画像情報を当該商品または役務情報と関連付けてあらかじめ記憶する第二の記憶手段、商品購入先または役務享受先の店舗表示情報を含む補足情報をあらかじめ記憶する補足情報記憶手段、上記画像発行要求受付装置より送られた画像出力媒体発行要求を受け付ける第二の受付手段と、上記受け付けた画像出力媒体発行要求に応じ、上記第一の記憶手段にて記憶する商品または役務情報に基づき上記第二の記憶手段を参照して要求のあった画像情報を抽出する手段、上記受け付けた画像出力媒体発行要求に応じ、上記補足情報記憶手段にて記憶する商品または役務に該当する補足情報を抽出する手段、上記抽出した画像情報と補足情報を含む画像出力媒体の発行指示を上記画像出力装置へ行う手段を有していることを特徴とする画像出力媒体発行システム。
【請求項２】
消費者が購入した商品の購買記録となり、または享受した役務の記録となる画像出力媒体を発行するシステムであって、
消費者が自ら購入した商品または自ら享受した役務の画像出力媒体発行要求を受け付ける手段を有する画像発行要求受付装置と、
上記画像出力媒体発行要求に基づき出力指示のあった画像出力媒体の発行を行う画像出力装置と、
上記画像発行要求受付装置と上記画像出力装置とネットワークを介して通信可能に構成された画像情報管理装置とを有し、
上記画像情報管理装置は、消費者へ販売する商品または提供する役務に応じた画像情報を当該商品または役務情報と関連付けてあらかじめ記憶する手段、商品購入先または役務享受先の店舗表示情報を含む補足情報をあらかじめ記憶する補足情報記憶手段、上記画像要求受付装置より送られた画像出力媒体発行要求を受け付ける手段、上記受け付けた画像出力媒体発行要求に応じ、あらかじめ記憶する画像情報の中から要求のあった画像情報を抽出する手段、上記受け付けた画像出力媒体発行要求に応じ、上記補足情報記憶手段にて記憶する商品または役務に該当する補足情報を抽出する手段、上記抽出した画像情報と補足情報を含む画像出力媒体の発行指示を上記画像出力装置へ行う手段を有していることを特徴とする画像出力媒体発行システム。
【請求項３】
前記店舗装置と前記画像発行要求受付装置とが一体であることを特徴とする請求項１に記載の画像出力媒体発行システム。
【請求項４】
前記画像発行要求受付装置と前記画像出力装置とが一体であることを特徴とする請求項１または２に記載の画像出力媒体発行システム。
【請求項５】
前記店舗装置と前記画像発行要求受付装置と前記画像出力装置とが一体であることを特徴とする請求項１に記載の画像出力媒体発行システム。
【請求項６】
消費者が自ら購入した商品または自ら享受した役務情報を取得する手段と、
上記取得した商品または享受した役務の情報を記憶する第一の記憶手段と、
上記商品または役務の情報に応じた画像情報を当該商品または役務の情報と関連付けてあらかじめ記憶する第二の記憶手段と、
商品購入先または役務享受先の店舗表示情報を含む補足情報をあらかじめ記憶する補足情報記憶手段と、
消費者が自ら購入した商品または自ら享受した役務の画像出力媒体発行要求を受け付ける手段と
上記画像出力媒体発行要求に応じ、上記第一の記憶手段にて記憶する商品または役務の情報に基づき上記第二の記憶手段を参照して要求のあった画像情報を抽出する手段と、
上記画像出力媒体発行要求に応じ、上記補足情報記憶手段にて記憶する商品または役務に該当する補足情報を抽出する手段と、
上記抽出した画像情報と補足情報を含む画像出力媒体を発行する手段を有することを特徴とする画像情報管理装置。
【請求項７】
消費者が自ら購入した商品または自ら享受した役務情報を取得する店舗装置と、消費者が自ら購入した商品または自ら享受した役務の画像出力媒体発行要求を受け付ける画像発行要求受付装置と、消費者が自ら購入した商品または自ら享受した役務に関する画像情報が出力された画像出力媒体の発行を行う画像出力装置からなる消費者側装置とネットワークを介して通信可能に構成された装置であって、
上記消費者側装置より送られた商品または役務の情報を受け付ける手段と、
上記受け付けた商品または役務の情報を記憶する第一の記憶手段と、
上記商品または役務の情報に応じた画像情報を当該商品または役務の情報と関連付けてあらかじめ記憶する第二の記憶手段と、
商品購入先または役務享受先の店舗表示情報を含む補足情報をあらかじめ記憶する補足情報記憶手段と、
上記消費者側装置より送られた画像出力媒体発行要求を受け付ける手段と、
上記画像出力媒体発行要求に応じ、上記第一の記憶手段にて記憶する商品または役務の情報に基づき上記第二の記憶手段を参照して要求のあった画像情報を抽出する手段と、
上記受け付けた画像出力媒体発行要求に応じ、上記補足情報記憶手段にて記憶する商品または役務に該当する補足情報を抽出する手段と、
上記抽出した画像情報と補足情報を含む画像出力媒体の発行指示を上記画像出力装置へ行う手段と、
を有することを特徴とする画像情報管理装置。
【請求項８】
画像出力媒体の発行限度数をあらかじめ記憶する発行限度情報記憶手段と、
前記商品または役務の画像情報を抽出する前に、上記発行限度情報記憶手段を参照して要求のあった画像出力媒体の発行可否を判断する手段と、
をさらに有することを特徴とする請求項７に記載の画像情報管理装置。
【請求項９】
消費者が自ら購入した商品または自ら享受した役務に関する画像出力媒体を発行する方法であって、
消費者が購入する商品または享受する役務に応じた画像情報を当該商品または役務の情報と関連付けてあらかじめ画像情報管理装置に記憶するステップと、
商品購入先または役務享受先の店舗表示情報を含む補足情報をあらかじめ画像情報管理装置に記憶するステップと、
消費者が購入した商品または享受した役務の情報を店舗装置にて取得するステップと、
上記取得した商品または役務の情報に基づき店舗装置が購買履歴情報を生成するステップと、
上記生成した購買履歴情報を店舗装置が上記画像情報管理装置へ送信するステップと、
上記送信された購買履歴情報を画像情報管理装置が受け付け、登録するステップと、
消費者が購入した商品または享受した役務に関する画像出力媒体発行要求を画像発行要求受付装置にて受け付けるステップと、
上記受け付けた画像出力媒体発行要求を画像発行要求受付装置が上記画像情報管理装置へ送信するステップと、
上記送信された画像出力媒体発行要求を画像情報管理装置が受け付けるステップと、
上記受け付けた画像出力媒体発行要求に応じ、上記登録した購買履歴情報に基づきあらかじめ記憶する画像情報を参照して要求のあった画像情報を画像情報管理装置が抽出するステップと、
上記受け付けた画像出力媒体発行要求に応じ、上記補足情報記憶手段にて記憶する商品または役務に該当する補足情報を抽出するステップと、
上記抽出した画像情報と補足情報を含む画像出力媒体発行指示情報を生成するステップと、
上記生成した画像出力媒体発行指示情報を画像情報管理装置が画像出力装置へ送信するステップと、
上記送信された画像出力媒体発行指示情報を画像出力装置にて受け付け、発行指示のあった画像出力媒体の発行を行うステップと、を有することを特徴とする画像出力媒体発行方法。
【請求項１０】
消費者が自ら購入した商品または自ら享受した役務に関する画像出力媒体を発行する方法であって、
消費者が自ら購入する商品または自ら享受する役務に応じた画像情報を当該商品または役務の情報と関連付けてあらかじめ画像情報管理装置に記憶するステップと、
商品購入先または役務享受先の店舗表示情報を含む補足情報をあらかじめ画像情報管理装置に記憶するステップと、
消費者が購入した商品または享受した役務情報を店舗装置にて取得するステップと、
上記取得した商品または役務の情報に基づき店舗装置が購買履歴情報を生成するステップと、
上記生成した購買履歴情報を店舗装置が上記画像情報管理装置へ送信するステップと、
上記送信された購買履歴情報を画像情報管理装置が受け付け、登録するステップと、
上記登録した購買履歴情報に基づきあらかじめ記憶する画像情報と補足情報を参照して当該商品または役務の情報に基づく画像情報と補足情報を画像情報管理装置が抽出し、保存するステップと、
消費者が購入した商品または享受した役務に関する画像出力媒体発行要求を画像発行要求受付装置にて受け付けるステップと、
上記受け付けた画像出力媒体発行要求を画像発行要求受付装置が上記画像情報管理装置へ送信するステップと、
上記送信された画像出力媒体発行要求を画像情報管理装置が受け付けるステップと、
上記受け付けた画像出力媒体発行要求に応じ、画像情報管理装置が上記保存した画像情報と補足情報を参照して要求のあった画像情報と補足情報を抽出するステップと、
上記抽出した画像情報と補足情報を含む画像出力媒体発行指示情報を画像情報管理装置が生成するステップと、
上記生成した画像出力媒体発行指示情報を画像情報管理装置が画像出力装置へ送信するステップと、
上記送信された画像出力媒体発行指示情報を画像出力装置にて受け付け、発行指示のあった画像出力媒体の発行を行うステップと、
を有することを特徴とする画像出力媒体発行方法。
【請求項１１】
前記請求項９または１０に記載の画像出力媒体発行方法であって、
前記購買履歴情報を店舗装置が生成した後、当該購買履歴情報に基づき画像出力媒体の発行要求を許可する識別情報を店舗装置が発行するステップと、
前記識別情報をこの購買履歴情報と関連付けて画像情報管理装置へ送信するステップと、
前記画像出力媒体発行要求が上記識別情報の入力を伴って行われるステップと、をさらに有することを特徴とする画像出力媒体発行方法。
【請求項１２】
前記請求項１０に記載の画像出力媒体発行方法であって、
前記商品または役務に関する画像出力媒体の発行限度数を当該商品または役務の情報と関連付けてあらかじめ画像情報管理装置に記憶するステップと、
前記商品または役務に関する画像情報を抽出する前に、上記発行限度数情報を参照して要求のあった画像出力媒体の発行可否を判断するステップと、
をさらに有することを特徴とする画像出力媒体発行方法。
【請求項１３】
消費者が自ら購入した商品または自ら享受した役務に関する画像出力媒体を発行することを実行させるために、コンピュータを、
消費者が購入する商品または享受した役務に応じた画像情報を当該商品または役務の情報と関連付けてあらかじめ記憶する手段、
商品購入先または役務享受先の店舗表示情報を含む補足情報をあらかじめ画像情報管理装置に記憶する手段、
消費者が購入した商品または享受した役務に関する情報に基づき生成された購買履歴情報を店舗装置から受け付け、登録する手段、
消費者が購入した商品または享受した役務に関する画像出力媒体発行要求を画像発行要求受付装置から受け付ける手段、
上記受け付けた画像出力媒体発行要求に応じ、上記登録した購買履歴情報に基づきあらかじめ記憶する画像情報を参照して要求のあった画像情報と補足情報を抽出する手段、
上記抽出した画像情報と補足情報を含む画像出力媒体発行指示情報を生成する手段、
上記生成した画像出力媒体発行指示情報を画像出力装置へ送信する手段、
として機能させるためのプログラム。
【請求項１４】
消費者が自ら購入した商品または自ら享受した役務に関する画像出力媒体を発行することを実行させるために、コンピュータを、
消費者が自ら購入する商品または自ら享受する役務に応じた画像情報を当該商品または役務の情報と関連付けてあらかじめ記憶する手段、
商品購入先または役務享受先の店舗表示情報を含む補足情報をあらかじめ画像情報管理装置に記憶する手段、
消費者が購入した商品または享受した役務に関する情報に基づき生成された購買履歴情報を店舗装置から受け付け、登録する手段、
上記登録した購買履歴情報に基づきあらかじめ記憶する画像情報を参照してその画像情報を抽出し、保存する手段、
消費者が購入した商品または享受した役務に関する画像出力媒体発行要求を画像発行要求受付装置から受け付ける手段、
上記受け付けた画像出力媒体発行要求に応じ、上記保存した画像情報を参照して要求のあった画像情報と補足情報を抽出する手段、
上記抽出した画像情報と補足情報を含む画像出力媒体発行指示情報を生成する手段、
上記生成した画像出力媒体発行指示情報を画像出力装置へ送信する手段、
として機能させるためのプログラム。
【請求項１５】
請求項１３または１４に記載のプログラムにおいて、コンピュータを、
前記商品または役務に関する画像出力媒体の発行限度数をその商品または役務の情報と関連付けてあらかじめ記憶する手段、
前記商品または役務に関する画像情報と補足情報を抽出した後、抽出した画像情報と補足情報を含む画像出力媒体発行指示情報を生成する前に、上記発行限度数情報を参照して要求のあった画像出力媒体の発行可否を判断する手段、
として機能させるためのプログラム。
【発明の詳細な説明】
【技術分野】
【０００１】
本発明は、消費者の購買活動と連動し、購入した商品または享受した役務の画像情報を得ることで、さらなる購買活動を喚起する、例えば商品画像シールのような画像出力媒体を発行するシステムとその装置、方法、及びプログラムに関するものである。
【背景技術】
【０００２】
商品を購入した顧客に対し、一定の見返り（インセンティブ）を与えることで、購買活動の活性化を図るインセンティブプログラムには、様々な方法が採用されている。特に多く採用されている方法は、購入金額に応じてポイントを付与し、蓄積したポイントに応じた割引や商品等の提供を受けられるようにしたサービスである。
【０００３】
このようなポイント付与によるインセンティブプログラムは、店舗形態や扱う商品の違いによらず、どこも同じようなものである。具体的には、まず、店舗（または店舗グループ）に会員登録をすることで、会員カードをもらう。次いで、当該店舗で商品を購入する際に、当該会員カードを提示する。この際、会員であることを店舗が認識するための方法には、会員カードに付されている磁気ストライプやバーコードなどをＰＯＳ（Ｐｏｉｎｔ  Ｏｆ  Ｓａｌｅｓ）レジ端末で読み取る方法がある。そして、会員であることの認識終了後、商品購入決済つまり代金の支払いを行い、支払い代金に一定割合をかけた（すなわち購入金額に応じた）ポイントが購入者に付与される。この付与されたポイントは会員毎に店舗にて管理され、次回以降の購入時に使用することで、代金の割引を受ける等の利益（インセンティブ）を享受できるとするものである。
【０００４】
したがって、従来のポイントによるプログラムは、商品購入〜会員であることの確認〜ポイント付与、という流れであり、実際に商品を購入したことによってどのくらいのポイントを得ようが、物理的に顧客の手元に戻るのは会員カードだけである。なお、カードの種類によっては、その場で蓄積ポイントがカード表面に印刷されるものもある。
【０００５】
また、上記のようなインセンティブプログラムが普及する以前は、購入に応じて紙媒体を主とするスタンプ状のポイント（以下、「スタンプ」という）を受け取り、受け取った当該スタンプを所定の台紙に貼って集め、集めたスタンプ（貼った台紙）の量によって、享受することができるインセンティブが異なるというインセンティブプログラム（以下「旧来インセンティブ」という）があった。
【０００６】
旧来インセンティブで用いられる「スタンプを台紙に貼る」という行為には、商品を購入した顧客（以下「消費者」という）に対して次の購買を行う動機付けすなわち購買意欲喚起の効能がある。すなわち、所定の用紙には、スタンプを貼る場所として指定されたマス目などが印刷されており、「アト１０枚で一杯になる」とか「アト３枚で一杯になる」といった、自分のポイント蓄積状況を視覚に訴える形で認識させる作用がある。これによって、「空いているマス目部分を埋めたい」、「全てのマス目にスタンプを貼って完璧にしたい」という、人間が元来から持っている欲求に訴えることで動機付けを図るものである。
【０００７】
一方、消費者が、購入した商品に関連した情報を得ることで購買の動機付けを行う取り組みも実在する。このような画像情報を得るシステムとしては、例えば、お菓子などの嗜好品に同封された人気漫画のキャラクタを印刷したシールや、同キャラクタのフィギアなどのおまけと関連した画像情報を、携帯端末の待受画面としてダウンロードできるものがある。具体的には、待ち受け画面配信サーバシステムのＵＲＬ及びパスワードをシールに記載しておく。消費者は商品購入後、そのシールをめくることでＵＲＬ及びパスワードを知り、自己の所有する携帯電話から待ち受け画面配信サイトにアクセスすることで、そのシールと同じ絵柄の画像情報をダウンロードし、携帯電話の待ち受け画面に貼ることができる。そして、ダウンロードした待ち受け画面は、携帯電話内の記憶機能により複数記憶が可能であり、消費者は毎日気分によって好きなキャラクタを待ち受け画面にできるとするものである（特許文献１参照）。
【０００８】
また、商品情報とともに、商品識別情報を任意のレイアウトで印刷出来るよう、印刷する情報を各フィールドに割り当て、フィールドのレイアウトを規定したパターンファイルと合わせて印刷機にて処理することで、要求に合わせて自在に任意のレイアウトに変更することを可能とし、バリエーション豊富なシールを出力することができるようにしたものもある（特許文献２参照）。
【０００９】
【特許文献１】特開２００２−２９７９８９号公報
【特許文献２】特開２０００−３５２９２９号公報
【発明の開示】
【発明が解決しようとする課題】
【００１０】
しかしながら、会員登録によって購入代金に応じたポイントを得る旧来のインセンティブプログラムでは、消費者に参加体験を与えることは行われず、単純な数字の加減算のみである。これは消費者にとって、購入時に得ることができる体験を希薄にし、購買意欲を喚起させるものではない。また、ポイントやスタンプからでは、自分が何を購入したのか、また、いつ、どこで、購入したかも思い出すことが出来ない。したがって、自分の購買記録とはなり得ない。
【００１１】
また、画像情報を待ち受け画面としてダウンロードし、携帯電話の待ち受け画面に貼るようにしたものは、おまけとして同封されたキャラクタのシールやフィギアに関連する画像をコレクションすることで、継続して購買意欲を喚起するものであり、商品そのものの魅力により継続した購買意欲を喚起させるものではない。すなわち、シール自体が価値を生み、シールを他の人と見せ合うことが消費者の享楽と成るような工夫も無いので、結局は消費者に飽きが来た時点で、効果のないインセンティブプログラムとなってしまう。したがって、同じ商品を継続的に購入することで同じ図柄の商品画像シールを得ることになってしまうと、商品自体に興味がない以上、消費者の購買渇仰を喚起することがなくなってしまう。
【００１２】
また、おまけとして同封されたキャラクタのシールやフィギア、もしくはこれらに関連する画像は、自分が購入した商品と何ら関連性が無いことが多く、商品と関連性を有した画像は何ら残らないことから、やはり、自分が何を購入したのか思い出すことが出来ないとともに、いつ、どこで、購入したかも思い出すことが出来ない。したがって、この場合も自分の購買記録とはなり得ない。
【００１３】
また、商品識別情報を任意のレイアウトに変更して印刷し、当該商品のシールを出力するようにしたものは、確かに商品と関連した画像が残ることとなるものではあるが、この商品と関連した画像は、消費者の購買活動と何ら連動するものではないことから、この場合も自分の購買記録とはなり得ない。しかも、商品と関連した画像は、購入する商品から得られる個別商品情報に関連してあらかじめ登録されているものではなく、商品名や品番、型番など固有の商品識別情報に関連してあらかじめ登録されているものであり、実際に購入する商品の商品情報から得られるものではない。すなわち、この場合の商品情報は、商品に関する画像とともに、商品名やスペック情報などの文字情報、商品に関するロゴマークや品番、型番などの固有の番号により構成される商品識別情報を含めて一体的に構成されているものであり、個別商品に対応してそれぞれ固有の情報を付すことが出来るように考慮されていない。
【００１４】
このように、消費者の購入した商品の画像情報を得ることができれば、自らの購買記録となり得るとともに、従来ある「ポイント付与型インセンティブプログラム」に比して、継続的購買意欲を喚起する度合いが高まるのであるが、現在までのところこのような課題に対処した手段は何ら提案されていない。
【００１５】
本発明は、上記の事情に基づきなされたもので、その目的とするところは、消費者の購買活動と連動し、自らの購買記録となり得る商品または享受した役務の画像情報が表示された、例えば商品画像シールのような画像出力媒体を発行するシステムとその装置、方法、プログラムを提供することにある。
【課題を解決するための手段】
【００１６】
本発明の請求項１に記載の画像出力媒体発行システムは、消費者が購入した商品の購買記録となり、または享受した役務の記録となる画像出力媒体を発行するシステムであって、
消費者が自ら購入した商品または自ら享受した役務情報を取得する手段を有する店舗装置と、
消費者が自ら購入した商品または自ら享受した役務の画像出力媒体発行要求を受け付ける手段を有する画像発行要求受付装置と、
上記画像出力媒体発行要求に基づき出力指示のあった画像出力媒体の発行を行う画像出力装置と、
上記店舗装置と上記画像発行要求受付装置と上記画像出力装置とネットワークを介して通信可能に構成された画像情報管理装置とを有し、
上記画像情報管理装置は、上記店舗装置より送られた商品または役務情報を受け付ける第一の受付手段、上記受け付けた商品または役務情報を記憶する第一の記憶手段、上記商品または役務情報に応じた画像情報を当該商品または役務情報と関連付けてあらかじめ記憶する第二の記憶手段、商品購入先または役務享受先の店舗表示情報を含む補足情報をあらかじめ記憶する補足情報記憶手段、上記画像発行要求受付装置より送られた画像出力媒体発行要求を受け付ける第二の受付手段と、上記受け付けた画像出力媒体発行要求に応じ、上記第一の記憶手段にて記憶する商品または役務情報に基づき上記第二の記憶手段を参照して要求のあった画像情報を抽出する手段、上記受け付けた画像出力媒体発行要求に応じ、上記補足情報記憶手段にて記憶する商品または役務に該当する補足情報を抽出する手段、上記抽出した画像情報と補足情報を含む画像出力媒体の発行指示を上記画像出力装置へ行う手段を有していることを特徴とする。
【００１７】
これにより、単なる商品または役務の画像ではなく、購入したる商品または享受した役務自身から得られる個別の商品または役務の情報に基づく適切な画像及び購入したる商品または享受した役務自身から得られる個別の商品または役務の情報に基づく補足情報を、それらに関するが購買履歴として得られることになる。ここで、画像出力媒体とは、商品または役務の画像が表示（印刷）された紙片や、プラスチック製のカード、シートまたはフィルムをいい、裏面に粘着層が設けられた所謂シールや、同裏面に磁石が設けられたものも含む。
また、本発明における「商品」とは、有体物としての物品を意味しており、「役務」とは、サービスやコンサート鑑賞、映画鑑賞のような無体物を意味している。
【００１８】
また、本発明の請求項２に記載の画像出力媒体発行システムは、消費者が購入した商品の購買記録となり、または享受した役務の記録となる画像出力媒体を発行するシステムであって、
消費者が自ら購入した商品または自ら享受した役務の画像出力媒体発行要求を受け付ける手段を有する画像発行要求受付装置と、
上記画像出力媒体発行要求に基づき出力指示のあった画像出力媒体の発行を行う画像出力装置と、
上記画像発行要求受付装置と上記画像出力装置とネットワークを介して通信可能に構成された画像情報管理装置とを有し、
上記画像情報管理装置は、消費者へ販売する商品または提供する役務に応じた画像情報を当該商品または役務情報と関連付けてあらかじめ記憶する手段、商品購入先または役務享受先の店舗表示情報を含む補足情報をあらかじめ記憶する補足情報記憶手段、上記画像要求受付装置より送られた画像出力媒体発行要求を受け付ける手段、上記受け付けた画像出力媒体発行要求に応じ、あらかじめ記憶する画像情報の中から要求のあった画像情報を抽出する手段、上記受け付けた画像出力媒体発行要求に応じ、上記補足情報記憶手段にて記憶する商品または役務に該当する補足情報を抽出する手段、上記抽出した画像情報と補足情報を含む画像出力媒体の発行指示を上記画像出力装置へ行う手段を有していることを特徴とする。
【００１９】
これにより、直接店舗で購入しない、自動販売機や通信販売、インターネットなどを介して購入した物品や、飲食店での飲食やコンサート、映画といった形のないサービスであっても、自分が購入した商品または享受した役務に関する補足情報を含む画像が購買履歴として得られることになる。
【００２０】
また、本発明の請求項３に記載の画像出力媒体発行システムは、前記請求項１に記載の画像出力媒体発行システムにおいて、前記店舗装置と前記画像発行要求受付装置とが一体であることを特徴とする。
【００２１】
これにより、商品または役務情報の取得と画像発行要求の受付とが効率良く行え、システムが簡素化されることとなる。したがって、消費者は一つの場所で代金決済と画像出力要求を行い、その後、別の場所へ行ってまたは送られた画像出力媒体を受け取ることで、画像出力媒体が出力されるまで代金決済場所に留まることによる、後続の代金決済の停滞のおそれを回避することが出来る。このシステムは、クレジットカードで商品を購入または役務を享受し、クレジットカード会社より送られてくる利用明細書に画像出力媒体を添付する場合に利用できる。
【００２２】
また、本発明の請求項４に記載の画像出力媒体発行システムは、前記請求項１または２に記載の品画像出力媒体発行システムにおいて、前記画像発行要求受付装置と前記画像出力装置とが一体であることを特徴とする。
【００２３】
これにより、画像要求の受付と画像出力媒体の発行を効率良く行うことができ、システムが簡素化されることとなる。したがって、消費者は代金決済を行った後、別の場所へ行って画像出力要求の受付と画像出力媒体を受け取ることで、画像要求の受け付けが完了し、画像出力媒体が出力されるまで代金決済場所に留まることによる、後続の代金決済の停滞のおそれを回避することが出来るとともに、画像要求の受け付けと画像出力媒体の受け取りの場所が異なることによる煩わしさを解消することが出来る。このシステムは、消費者が代金決済を行った後、商品を受け取るまでに時間を要し、後日、商品代金決済場所では無く別の場所において画像要求の受け付けと画像出力媒体の受け取りを行う場合に利用できる。
【００２４】
また、本発明の請求項５に記載の画像出力媒体発行システムは、前記請求項１に記載の画像出力媒体発行システムにおいて、前記店舗装置と前記画像発行要求受付装置と前記画像出力装置とが一体であることを特徴とする。
【００２５】
これにより、商品または役務の情報の取得と画像要求の受付及び画像出力媒体の発行を効率良く行うことができ、システムが簡素化されることとなる。したがって、消費者は一つの場所で代金決済と画像出力要求を行った後、同じ場所で画像出力媒体を受け取ることで、代金決済場所と画像出力要求の受け付けと画像出力媒体の受け取りの場所とがそれぞれ異なることによる煩わしさを解消することが出来る。このシステムは、商品が高額で数が多く販売されないなどの理由により、商品代金決済後、画像出力媒体が出力されるまで後続の商品代金決済に停滞のおそれがない場合に利用できる。
【００２６】
本発明の請求項６に記載の装置は、消費者が自ら購入した商品または自ら享受した役務情報を取得する手段と、上記取得した商品または享受した役務の情報を記憶する第一の記憶手段と、上記商品または役務の情報に応じた画像情報を当該商品または役務の情報と関連付けてあらかじめ記憶する第二の記憶手段と、商品購入先または役務享受先の店舗表示情報を含む補足情報をあらかじめ記憶する補足情報記憶手段と、消費者が自ら購入した商品または自ら享受した役務の画像出力媒体発行要求を受け付ける手段と上記画像出力媒体発行要求に応じ、上記第一の記憶手段にて記憶する商品または役務の情報に基づき上記第二の記憶手段を参照して要求のあった画像情報を抽出する手段と、上記画像出力媒体発行要求に応じ、上記補足情報記憶手段にて記憶する商品または役務に該当する補足情報を抽出する手段と、上記抽出した画像情報と補足情報を含む画像出力媒体を発行する手段を有することを特徴とする。
【００２７】
これにより、消費者は商品の購入または役務の享受と同時に画像情報出力媒体を得ることが可能になる。すなわち、購入に係る代金支払い後画像情報出力媒体を得ることができる。
また、ネットワークを介することなく、特定の店舗に独立した装置として本装置を設置することにより、特定の店舗内で消費者に画像情報出力媒体を提供することが可能となる
【００２８】
本発明の請求項７に記載の装置は、消費者が自ら購入した商品または自ら享受した役務情報を取得する店舗装置と、消費者が自ら購入した商品または自ら享受した役務の画像出力媒体発行要求を受け付ける画像発行要求受付装置と、消費者が自ら購入した商品または自ら享受した役務に関する画像情報が出力された画像出力媒体の発行を行う画像出力装置からなる消費者側装置とネットワークを介して通信可能に構成された装置であって、上記消費者側装置より送られた商品または役務の情報を受け付ける手段と、上記受け付けた商品または役務の情報を記憶する第一の記憶手段と、上記商品または役務の情報に応じた画像情報を当該商品または役務の情報と関連付けてあらかじめ記憶する第二の記憶手段と、商品購入先または役務享受先の店舗表示情報を含む補足情報をあらかじめ記憶する補足情報記憶手段と、上記消費者側装置より送られた画像出力媒体発行要求を受け付ける手段と、上記画像出力媒体発行要求に応じ、上記第一の記憶手段にて記憶する商品または役務の情報に基づき上記第二の記憶手段を参照して要求のあった画像情報を抽出する手段と、上記受け付けた画像出力媒体発行要求に応じ、上記補足情報記憶手段にて記憶する商品または役務に該当する補足情報を抽出する手段と、上記抽出した画像情報と補足情報を含む画像出力媒体の発行指示を上記画像出力装置へ行う手段と、
を有することを特徴とする。
【００２９】
これにより、消費者側装置から受け付けた商品または役務の情報を一旦記憶し、また、別途消費者側装置から受け付けた画像出力媒体発行要求に応じて、先に記憶する商品または役務の情報に基づき、あらかじめ商品または役務情報と画像情報とを関連付けて記憶した記憶手段とあらかじめ商品または役務情報と補足情報を関連付けて記憶した記憶手段とを参照して、要求のあった商品または役務情報に適合する画像情報と補足情報を抽出し、当該画像情報と補足情報を含む画像出力媒体の発行指示を画像出力装置へ行うので、個別商品または役務に対応した適切な商品または役務情報を提供することが出来る。
【００３０】
本発明の請求項８に記載の装置は、前記請求項７に記載の装置において、画像出力媒体の発行限度数をあらかじめ記憶する発行限度情報記憶手段と、前記画像情報を抽出する前に、上記発行限度情報記憶手段を参照して要求のあった画像出力媒体の発行可否を判断する手段と、をさらに有することを特徴とする。
【００３１】
これにより、画像出力媒体の発行数量に限度数を設けることで、早く所望の商品を購入しまたは役務を享受して画像出力媒体発行要求をしないと、画像出力媒体を得ることが出来なくなるので、画像出力媒体自体が価値を生み出す効果的なインセンティブプログラムとすることができる。また、画像出力媒体の発行数量に限度数を設け、画像のデザインを変更することで、消費者の購買意欲を喚起させ、一層画像出力媒体自体の価値を高めることができる。
【００３４】
また、上述した各画像出力媒体発行システムにより、例えば以下に記載の各画像出力媒体発行方法を達成することができる。すなわち、本発明の請求項９に記載の画像出力媒体発行方法は、消費者が自ら購入した商品または自ら享受した役務に関する画像出力媒体を発行する方法であって、消費者が購入する商品または享受する役務に応じた画像情報を当該商品または役務の情報と関連付けてあらかじめ画像情報管理装置に記憶するステップと、商品購入先または役務享受先の店舗表示情報を含む補足情報をあらかじめ画像情報管理装置に記憶するステップと、消費者が購入した商品または享受した役務の情報を店舗装置にて取得するステップと、上記取得した商品または役務の情報に基づき店舗装置が購買履歴情報を生成するステップと、上記生成した購買履歴情報を店舗装置が上記画像情報管理装置へ送信するステップと、上記送信された購買履歴情報を画像情報管理装置が受け付け、登録するステップと、消費者が購入した商品または享受した役務に関する画像出力媒体発行要求を画像発行要求受付装置にて受け付けるステップと、上記受け付けた画像出力媒体発行要求を画像発行要求受付装置が上記画像情報管理装置へ送信するステップと、上記送信された画像出力媒体発行要求を画像情報管理装置が受け付けるステップと、上記受け付けた画像出力媒体発行要求に応じ、上記登録した購買履歴情報に基づきあらかじめ記憶する画像情報を参照して要求のあった画像情報を画像情報管理装置が抽出するステップと、上記受け付けた画像出力媒体発行要求に応じ、上記補足情報記憶手段にて記憶する商品または役務に該当する補足情報を抽出するステップと、上記抽出した画像情報と補足情報を含む画像出力媒体発行指示情報を生成するステップと、上記生成した画像出力媒体発行指示情報を画像情報管理装置が画像出力装置へ送信するステップと、上記送信された画像出力媒体発行指示情報を画像出力装置にて受け付け、発行指示のあった画像出力媒体の発行を行うステップと、を有することを特徴とする。
【００３５】
これにより、消費者が購入した商品または役務に関する情報を消費者の購買活動と連動して直接店舗装置にて取得し、当該商品または役務情報に基づいて購買履歴情報を生成し、生成した購買履歴情報を画像情報管理装置へ送信することで、画像情報管理装置において、店舗装置より受け付けた商品または役務情報を一旦記憶する。また、消費者が購入した商品または役務に関する画像出力媒体発行要求を画像発行要求受付装置にて取得し、画像情報管理装置へ送信することで、画像情報管理装置において、画像発行要求受付装置より受け付けた画像出力媒体発行要求に応じて、先に記憶する商品または画像情報に基づき、あらかじめ商品または役務情報と画像情報とを関連付けて記憶した記憶手段を参照して、要求のあった商品または役務情報に適合する画像情報を抽出し、あらかじめ商品または役務情報と画像情報とを関連付けて記憶した記憶手段を参照して、要求のあった商品または役務情報に適合する補足情報を抽出する。次いで、その画像情報と補足情報を含む画像出力媒体の発行指示を、画像情報管理装置から画像出力装置へ送信する。そして、画像出力装置では、画像情報管理装置より発行指示のあった画像出力媒体の発行を行うことになる。
【００３６】
請求項１０に記載の画像出力媒体発行方法は、消費者が自ら購入した商品または自ら享受した役務に関する画像出力媒体を発行する方法であって、消費者が自ら購入する商品または自ら享受する役務に応じた画像情報を当該商品または役務の情報と関連付けてあらかじめ画像情報管理装置に記憶するステップと、商品購入先または役務享受先の店舗表示情報を含む補足情報をあらかじめ画像情報管理装置に記憶するステップと、消費者が購入した商品または享受した役務情報を店舗装置にて取得するステップと、上記取得した商品または役務の情報に基づき店舗装置が購買履歴情報を生成するステップと、上記生成した購買履歴情報を店舗装置が上記画像情報管理装置へ送信するステップと、上記送信された購買履歴情報を画像情報管理装置が受け付け、登録するステップと、上記登録した購買履歴情報に基づきあらかじめ記憶する画像情報と補足情報を参照して当該商品または役務の情報に基づく画像情報と補足情報を画像情報管理装置が抽出し、保存するステップと、消費者が購入した商品または享受した役務に関する画像出力媒体発行要求を画像発行要求受付装置にて受け付けるステップと、上記受け付けた画像出力媒体発行要求を画像発行要求受付装置が上記画像情報管理装置へ送信するステップと、上記送信された画像出力媒体発行要求を画像情報管理装置が受け付けるステップと、上記受け付けた画像出力媒体発行要求に応じ、画像情報管理装置が上記保存した画像情報と補足情報を参照して要求のあった画像情報と補足情報を抽出するステップと、上記抽出した画像情報と補足情報を含む画像出力媒体発行指示情報を画像情報管理装置が生成するステップと、上記生成した画像出力媒体発行指示情報を画像情報管理装置が画像出力装置へ送信するステップと、上記送信された画像出力媒体発行指示情報を画像出力装置にて受け付け、発行指示のあった画像出力媒体の発行を行うステップと、を有することを特徴とする。
【００３７】
これにより、消費者が購入した商品または役務に関する情報を消費者の購買活動と連動して直接店舗装置にて取得し、その商品または役務情報に基づいて購買履歴情報を生成し、生成した購買履歴情報を画像情報管理装置へ送信することで、画像情報管理装置において、店舗装置より受け付けた商品または役務情報を一旦記憶する。次いで、一旦記憶した商品または役務情報に基づき、あらかじめ商品または役務情報と画像情報と補足情報とを関連付けて記憶した記憶手段を参照して、当該商品または役務情報に適合する画像情報を抽出し保存する。また、消費者が購入した商品または役務に関する画像出力媒体発行要求を画像発行要求受付装置にて取得し、画像情報管理装置へ送信することで、画像情報管理装置において、画像発行要求受付装置より受け付けた画像出力媒体発行要求に応じて、要求のあった商品または役務情報に適合する画像情報と補足情報を先に保存した画像情報と補足情報とを参照して抽出する。さらに、抽出した画像情報と補足情報を含む画像出力媒体の発行指示を、画像情報管理装置から画像出力装置へ送信する。そして、画像出力装置では、画像情報管理装置より発行指示のあった画像出力媒体の発行を行うことになる。
【００３８】
前記請求項９または１０に記載の画像出力媒体発行方法であって、前記購買履歴情報を店舗装置が生成した後、当該購買履歴情報に基づき画像出力媒体の発行要求を許可する識別情報を店舗装置が発行するステップと、前記識別情報をこの購買履歴情報と関連付けて画像情報管理装置へ送信するステップと、前記画像出力媒体発行要求が上記識別情報の入力を伴って行われるステップと、をさらに有することを特徴とする。
【００３９】
これにより、店舗装置は、消費者が購入した商品または役務に関する情報に基づいて購買履歴情報を生成した後、当該購買履歴情報に基づき画像出力媒体の発行要求を許可する識別情報を発行し、当該識別情報を購買履歴情報とともに画像情報管理装置へ送信する。また、画像情報管理装置は、別途受け付けた前記識別情報の入力を伴う画像出力媒体発行要求に応じて、識別情報をキーワードとして、購買履歴情報を管理するとともに、適合する画像情報を含む画像出力媒体の発行指示を行う。
【００４０】
請求項１２に記載の画像出力媒体発行方法は、前記請求項１０記載の画像出力媒体発行方法において、前記商品または役務に関する画像出力媒体の発行限度数を当該商品または役務の情報と関連付けてあらかじめ画像情報管理装置に記憶するステップと、前記商品または役務に関する画像情報を抽出する前に、上記発行限度数情報を参照して要求のあった画像出力媒体の発行可否を判断するステップと、をさらに有することを特徴とする。
【００４１】
これにより、画像情報管理装置は、受け付けた画像出力媒体発行要求に応じて、あらかじめ記憶する商品または役務情報と関連付けた発行限度数情報を参照して、要求のあった商品または役務情報に関する画像出力媒体の発行可否の判断を行う。
【００４２】
また、上述した各システムでは、例えば以下に記載の発行プログラムを具備する。すなわち、本発明の請求項１３に記載の画像出力媒体発行プログラムは、消費者が自ら購入した商品または自ら享受した役務に関する画像出力媒体を発行することを実行させるために、コンピュータを、消費者が購入する商品または享受した役務に応じた画像情報を当該商品または役務の情報と関連付けてあらかじめ記憶する手段、商品購入先または役務享受先の店舗表示情報を含む補足情報をあらかじめ画像情報管理装置に記憶する手段、消費者が購入した商品または享受した役務に関する情報に基づき生成された購買履歴情報を店舗装置から受け付け、登録する手段、消費者が購入した商品または享受した役務に関する画像出力媒体発行要求を画像発行要求受付装置から受け付ける手段、上記受け付けた画像出力媒体発行要求に応じ、上記登録した購買履歴情報に基づきあらかじめ記憶する画像情報を参照して要求のあった画像情報と補足情報を抽出する手段、上記抽出した画像情報と補足情報を含む画像出力媒体発行指示情報を生成する手段、上記生成した画像出力媒体発行指示情報を画像出力装置へ送信する手段、として機能させることを特徴とする。
【００４３】
これにより、消費者が購入する商品または享受する役務に応じた画像情報を商品または役務情報と関連付けてあらかじめ記憶し、消費者が購入した商品または享受した役務に関する情報に基づき生成された購買履歴情報を店舗装置から受け付け登録し、商品購入先または役務享受先の店舗表示情報を含む補足情報をあらかじめ記憶し、消費者が購入した商品または役務に関する画像出力媒体発行要求を画像発行要求受付装置から受け付け、当該受け付けた画像出力媒体発行要求に応じ、上記登録した購買履歴情報に基づきあらかじめ記憶する画像情報を参照して要求のあった画像情報と補足情報とを抽出し、当該抽出した画像情報と補足情報を含む画像出力媒体発行指示情報を生成し、当該生成した画像出力媒体発行指示情報を画像出力装置へ送信する、といった一連の動作をコンピュータに行わせ、消費者が購入した商品または役務に関する画像出力媒体を発行することを実行させることができる。
【００４４】
請求項１４に記載の画像出力媒体発行プログラムは、消費者が自ら購入した商品または自ら享受した役務に関する画像出力媒体を発行することを実行させるために、コンピュータを、消費者が自ら購入する商品または自ら享受する役務に応じた画像情報を当該商品または役務の情報と関連付けてあらかじめ記憶する手段、商品購入先または役務享受先の店舗表示情報を含む補足情報をあらかじめ画像情報管理装置に記憶する手段、消費者が購入した商品または享受した役務に関する情報に基づき生成された購買履歴情報を店舗装置から受け付け、登録する手段、上記登録した購買履歴情報に基づきあらかじめ記憶する画像情報を参照してその画像情報を抽出し、保存する手段、消費者が購入した商品または享受した役務に関する画像出力媒体発行要求を画像発行要求受付装置から受け付ける手段、上記受け付けた画像出力媒体発行要求に応じ、上記保存した画像情報を参照して要求のあった画像情報と補足情報を抽出する手段、上記抽出した画像情報と補足情報を含む画像出力媒体発行指示情報を生成する手段、上記生成した画像出力媒体発行指示情報を画像出力装置へ送信する手段、として機能させることを特徴とする。
【００４５】
これにより、消費者が購入する商品または役務に応じた画像情報を当該商品または役務情報と関連付けてあらかじめ記憶し、商品購入先または役務享受先の店舗表示情報を含む補足情報を記憶し、消費者が購入した商品または役務に関する情報に基づき生成された購買履歴情報を店舗装置から受け付け登録し、当該登録した購買履歴情報に基づきあらかじめ記憶する画像情報を参照して当該画像情報を抽出して保存し、消費者が購入した商品または役務に関する画像出力媒体発行要求を画像発行要求受付装置から受け付け、当該受け付けた画像出力媒体発行要求に応じ、上記保存した画像情報と補足情報を参照して要求のあった画像情報と補足情報とを抽出し、当該抽出した画像情報を含む画像出力媒体発行指示情報を生成し、当該生成した画像出力媒体発行指示情報を画像出力装置へ送信する、といった一連の動作をコンピュータに行わせ、消費者が購入した商品または享受した役務に関する画像出力媒体を発行することを実行させることができる。
【００４６】
請求項１５に記載の画像出力媒体発行プログラムは、前記請求項１３または１４に記載の画像出力媒体発行プログラムにおいて、コンピュータを、前記商品または役務に関する画像出力媒体の発行限度数をその商品または役務の情報と関連付けてあらかじめ記憶する手段、前記商品または役務に関する画像情報と補足情報を抽出した後、抽出した画像情報と補足情報を含む画像出力媒体発行指示情報を生成する前に、上記発行限度数情報を参照して要求のあった画像出力媒体の発行可否を判断する手段、として機能させることを特徴とする。
【００４７】
これにより、消費者が購入した商品または享受した役務に関する画像出力媒体発行要求を画像発行要求受付装置から受け付けた後、当該受け付けた画像出力媒体発行要求に応じ、上記保存した画像情報を参照して要求のあった画像情報を抽出する前に、上記発行限度数情報を参照して要求のあった画像出力媒体の発行可否を判断し、発行可である場合に、要求のあった画像情報を抽出し、当該抽出した画像情報を含む画像出力媒体発行指示情報を生成し、当該生成した画像出力媒体発行指示情報を画像出力装置へ送信する、といった一連の動作をコンピュータに行わせ、消費者が購入した商品または役務に関する画像出力媒体を発行することを実行させることができる。
【発明の効果】
【００４８】
本発明によれば、商品を購入しまたは役務を享受した消費者は、購入した商品または教授した役務の画像出力媒体として、たとえばシールを得ることが可能であり、消費者の購買活動と連動した購買記録を得ることができる。
また、このシールに、購入店舗や製造元メーカのマークなどを商品画像と供に印刷することで、シールのみの価値を高めることが可能となり、ひいてはシールを得るための継続的商品購入を喚起することが可能となる。
上記のシールを得た消費者は、得たシールを思い思いに活用すればよい。例えば、シールを取得した順に整理していつでも参照することができるようにしておけば、商品購入時あるいは役務を享受したときのさまざまな記憶を呼び戻すことができ、思い出の保存としても有効である。例えば、映画を鑑賞したときの１場面を印刷し、あるいはスポーツを観戦したときその試合の１場面を印刷したシールを発行するようにしておけば、そのシ−ルを手に入れた消費者は、そのシールを見ることによっていつまでもその映画や試合を記憶にとどめることができるとともに、知人、友人などに見せることによって楽しいコミュニケーションを図ることができる。
【発明を実施するための最良の形態】
【００４９】
以下、本発明の一実施の形態を、図面に基づき説明する。
図１は、本発明の実施の形態に係る画像出力媒体発行方法を実施するためのシステムの一例を概略的に示す全体構成図であり、図２は、このシステムに用いられる第一の装置、図３は、このシステムに用いられる第二の装置、図４は、このシステムに用いられる第三の装置、図５は、このシステムに用いられる第四の装置、における構成を簡略的にそれぞれ示すブロック図である。なお、本実施形態では、画像出力媒体を、裏面に粘着層が設けられた所謂シールとした場合について説明する。また、本実施形態は、商品を購入した場合に、購入した商品にかかわる画像の出力媒体発行を想定しているが、役務を享受した場合に、その役務にかかわる画像の出力媒体を発行ものにも適用することができる。
【００５０】
図１に示すように、本実施の形態で用いる商品画像出力媒体発行システムは、消費者が購入した商品情報を取得するこのシステムに用いられる第一の装置としての店舗装置１と、消費者が購入した商品の画像出力媒体発行要求を受け付けるこのシステムに用いられる第三の装置としての商品画像発行要求受付装置３と、上記画像出力媒体発行要求に基づき出力指示のあった商品画像出力媒体の発行を行うこのシステムに用いられる第四の商品画像出力装置４と、上記店舗装置１と上記商品画像要求受付装置３と上記商品画像出力装置４とネットワーク１０を介して通信可能に構成された、このシステムに用いられる第二の装置としての商品画像情報管理装置２と、から構成される。
【００５１】
店舗装置１は、図２に示すように、商品情報受付部１１と、購入品目記憶部１２と、消費者情報生成部１４と、レシート情報送信部１５と、レシート発行部１６、とから構成され、必要に応じて消費者情報受付部１３を具備し、たとえば、店舗に設置されたＰＯＳ（Ｐｏｉｎｔ  Ｏｆ  Ｓａｌｅｓ）システムを利用するレジスタなどの所謂ＰＯＳ端末を言う。また、該店舗装置１に図示しない、商品画像情報記憶部があってもよい。
【００５２】
商品情報受付部１１は、消費者が購入した商品に関する商品情報を受け付ける処理を行う。ここで商品情報とは、商品名や価格、製造元の名称といった商品に関連する情報のことをいい、たとえば、商品購入の精算時に、商品に付されたバーコードやＲＦタグ（ＩＣタグ）などの商品識別情報から読み取ることができる情報をいう。そして、この商品には、物品としての商品の他に、サービス（役務）としての商品も含むものである。以下、「商品」は「役務」と、「商品の購入」は「役務の享受」と読み替えることができる。
【００５３】
購入品目記憶部１２は、商品情報受付部１１にて受け付けた商品情報を一時的にまとめ商品購買履歴情報として記憶する処理を行う。ここに記憶された商品情報は、全ての商品に関する商品情報の受け付け終了後、レシート情報生成部１４へ送られる。
【００５４】
消費者情報受付部１３は、商品を購入した消費者に関する消費者情報を受け付ける処理を行う。ここで消費者情報とは、特定の消費者を識別することができるデジタル化可能な情報をいい、たとえば会員カードやクレジットカードなどのカード番号や、任意に定めた暗証番号などをいう。
【００５５】
レシート情報生成部１４は、購入品目記憶部１２から受け付けた商品購買履歴情報や、消費者情報受付部１３から受け付けた消費者情報を併せてレシート情報を生成するとともに、商品画像出力媒体の発行要求を許可する識別情報を発行する処理を行う。ここでレシート情報とは、商品の販売日や販売店舗名、消費者、販売数量などといった商品の販売時に得られる情報のことを言う。また、識別情報は、後述するレシート発行部１６にて出力（印刷）する商品購買履歴出力媒体としてのレシートに付すレシート番号としても良い。
【００５６】
レシート情報送信部１５は、レシート情報生成部１４にて生成されたレシート情報及び識別情報を商品画像情報管理装置２へ送信する処理を行う。このレシート情報及び識別情報は互いに関連付けられている。そして、このレシート情報の商品画像情報管理装置２への送信は、インターネット接続を含む有線電話回線、無線電話回線、ＣＡＴＶ（ｃａｂｌｅ  ｔｅｌｅｖｉｓｉｏｎ）回線、その他の通信回線網などのネットワーク１０を介して行われる。
【００５７】
レシート発行部１６は、レシート情報生成部１４にて生成されたレシート情報及び識別情報が表示された商品購買履歴出力媒体としてのレシートを出力（印刷）する処理を行う。このレシートは商品を購入した消費者に渡され、消費者は、商品代金の決済時に購入した商品の画像出力媒体発行要求を行わない場合に、このレシートに表示された識別情報に基づき別途商品画像情報管理装置２にて、画像出力媒体の発行要求を行う。
【００５８】
また、商品画像情報管理装置２は、図３に示すように、レシート情報受信部２０と、レシート情報登録部２１と、シール発行限度数記憶部２２と、商品画像情報記憶部２３と、店舗情報記憶部２４と、メーカ情報記憶部２５と、シール発行条件判断部２６と、シール発行情報生成部２７と、シール発行情報記憶部２８と、シール発行要求情報受信部２９と、シール発行情報送信部３０とを具備する。
【００５９】
レシート情報受信部２０は、店舗装置１から送られたレシート情報及び識別情報を受け付ける処理を行う。受け付けたレシート情報及び識別情報は、引き続きレシート情報登録部２１へ送られる。
【００６０】
レシート情報登録部２１は、レシート情報受信部２０にて受け付けたレシート情報及び識別情報を登録する処理を行う。ここで登録されたレシート情報及び識別情報は、商品画像出力媒体の発行が完了するまで、または所定の期間が経過するまで登録管理される。したがって、商品画像出力媒体の発行後、または所定の期間経過後、削除されるようにしても良い。
【００６１】
シール発行限度数記憶部２２は、消費者が購入した商品の画像情報の発行数を設定する場合、その発行許可設定限度数を登録するものである。ここでは、各画像情報の発行許可設定限度数を管理する場合の他、商品画像出力媒体の発行要求に応じて発行許可設定限度数を減算して０になるまで管理するようにしても良い。
【００６２】
商品画像情報記憶部２３は、消費者が購入した商品の画像情報をデータベース化して記憶するものである。この画像情報は、個々の商品情報に対応して設けられている。したがって、同じ商品名の商品であっても、製造年月日やシール発行限度数によって異なる画像情報となる場合もある。
【００６３】
店舗情報記憶部２４は、消費者が商品を購入した店舗情報をデータベース化して記憶するものである。この店舗情報は、店舗名のほか、店舗のロゴマークや店舗画像など、そのテンポにちなんだ各種の情報をいう。
【００６４】
メーカ情報記憶部２５は、消費者が購入した商品の製造元情報をデータベース化して記憶するものである。このメーカ情報は、店舗情報と同じく、メーカ名のほか、メーカのロゴマーク、ブランド名、ブランドのロゴマークやメーカの社屋画像など、そのメーカーにちなんだ各種の情報をいう。
【００６５】
シール発行条件判断部２６は、商品の画像出力媒体発行要求の受け付けに応じて、もしくはレシート情報の登録に応じて前もって、画像出力媒体であるシール発行の許諾可否を判断する処理を行う。シール発行の許諾可否は、受け取った画像出力媒体発行要求に含まれる識別情報、もしくはレシート情報とともに受け付けた識別情報を基に、レシート情報登録部２１を参照するとともに、要求された画像情報に発行限度数が設定されているか否か、及び発行限度数が設定されている場合は発行限度数以内か、シール発行限度数記憶部２２を参照して判断される。
【００６６】
シール発行情報生成部２７は、画像出力媒体であるシール発行の許諾可否の判断終了後、シール発行の許諾可の場合に、シール発行の指示情報を生成する処理を行う。シール発行の指示情報の生成は、レシート情報登録部２１を参照した商品購買履歴情報に基づき、商品画像情報記憶部２３を参照して要求のあった商品画像情報を抽出し、抽出した商品画像情報にシール発行の指示情報を含めることにより行う。この際、上記指示情報の生成は、要求する画像出力媒体に応じて、店舗情報記憶部２４やメーカ情報記憶部２５を参照する場合もある。また、シール発行の指示情報には、抽出した商品画像情報の他に、当該商品画像を出力（印刷）する台紙の材質や大きさ、色などを指定する情報も含まれる。
【００６７】
シール発行情報記憶部２８は、レシート情報の登録に応じて前もってシール発行の許諾可否を判断し、シール発行情報生成部２７にて生成したシール発行の指示情報を記憶するものである。すなわち、シール発行情報生成部２７にて生成されるシール発行の指示情報は、商品の画像出力媒体発行要求があった場合は、シール発行情報生成部２７から後述するシール発行情報送信部３０へ送られ、ネットワーク１０を介してシール発行装置４へ送信されることとなるが、商品の画像出力媒体発行要求を受け付ける前に、レシート情報の登録に応じて前もってシール発行の許諾可否を判断した場合は、シール発行情報生成部２７からシール発行情報記憶部２８へ送られ、商品の画像出力媒体発行要求があるまで、または所定の期間が経過するまで管理される。したがって、シール発行の指示情報は、シール発行の指示後、または所定の期間経過後、削除されるようにしても良い。
【００６８】
シール発行要求情報受信部２９は、商品画像発行要求受付装置３から送られた商品の画像出力媒体発行要求を受け付ける処理を行う。受け付けた商品の画像出力媒体発行要求は、引き続きシール発行条件判断部２６へ送られる。
【００６９】
シール発行情報送信部３０は、シール発行情報生成部２７にて生成されたシール発行の指示情報を、ネットワーク１０を介してシール発行装置４へ送信する処理を行う。
【００７０】
また、商品画像発行要求受付装置３は、図４に示すように、シール発行要求識別情報入力部３１と、シール発行要求情報生成部３２と、シール発行要求情報送信部３３とを具備する。
【００７１】
シール発行要求識別情報入力部３１は、消費者から商品画像出力媒体発行要求に対する意思表示の受け付けとともに、商品画像出力媒体発行要求のあった画像情報を特定するための識別情報を受け付ける処理を行う。シール発行要求識別情報入力部３１で受け付けられた識別情報は、その後シール発行要求情報生成部３２へ送られる。
【００７２】
シール発行要求情報生成部３２は、シール発行要求識別情報入力部３１にて受け付けた識別情報を受け取って、商品画像情報管理装置２へ送信することとなる所望の画像が表示されたシールの発行要求情報を生成する処理を行う。
【００７３】
シール発行要求情報送信部３３は、シール発行要求情報生成部３２にて生成されたシールの発行要求情報を、ネットワーク１０を介して商品画像情報管理装置２へ送信する処理を行う。
【００７４】
また、商品画像出力装置４は、図５に示すように、シール発行情報受信部４１と、シール印刷情報生成部４２と、シール印刷部４３とを具備する。
【００７５】
シール発行情報受信部４１は、商品画像情報管理装置２から送られたシール発行指示情報を受け付ける処理を行う。シール発行情報受信部４１で受け付けられたシール発行指示情報は、その後シール印刷情報生成部４２へ送られる。
【００７６】
シール印刷情報生成部４２は、シール発行情報受信部４１にて受け付けたシール発行指示情報を受け取り、受け取ったシール発行の指示に従い当該シール発行指示情報に含まれる商品画像が表示されたシールを出力するためのシール印刷情報を生成する処理を行う。
【００７７】
シール印刷部４３は、シール印刷情報生成部４２にて生成されたシール印刷情報に従い、消費者が購入した商品画像が表示された商品画像シールを印刷し発行する処理を行う。
【００７８】
以上のように構成された商品画像出力媒体発行システムにおいて、シールの発行を実施する場合は、たとえば図１に示すように行うことができる。まず、消費者Ａが商品を購入すると、店舗装置１が当該商品より商品情報を取得する（１）。店舗装置１は、取得した商品情報に基づきレシート情報を生成するとともに、シールの発行要求を許可する識別情報を発行し、当該レシート情報及び識別情報が表示された商品購買履歴出力媒体としてのレシート５を出力する（２ａ）。また、店舗装置１は、ネットワーク１０を介して当該レシート情報及び識別情報を商品画像情報管理装置２へ送信する（２ｂ）。
【００７９】
次いで、シールの発行を欲する場合、消費者はシール発行要求受付装置３においてレシート５に表示された識別情報を入力して所望の画像が表示されたシールの発行を要求する（３）。シール発行要求受付装置３はシールの発行要求を受け付けると、ネットワーク１０を介してその情報を商品画像情報管理装置２へ送信する（４）。
【００８０】
また、商品画像情報管理装置２では、シールの発行要求を受け付けると、シール発行の可否を判断し、発行可の場合に、要求のあった商品画像情報を抽出し、ネットワーク１０を介してシール発行の指示とともに当該商品画像情報をシール発行装置４へ送信する（５）。そして、シール発行装置４では、商品画像情報管理装置２より受け取ったシール発行の指示に従い、商品画像が表示されたシール６を印刷し、消費者Ａへ発行する（６）。
【００８１】
ここで、シール発行装置４によって印刷され消費者Ａが得るシールは、予め統一された書式にのっとり、大きさ、配置、情報の表現方法などが同じになるよう規格されたシールであって、複数のシールを収集した場合の管理が容易になるよう工夫されていてもよい。
【００８２】
次に、図１に示した商品画像出力媒体発行システムにより実行される本発明の商品画像出力媒体発行方法の一例として、店舗にて商品の購入を行い、シール発行要求があってから、発行シール情報を生成する場合について説明する。そして、この際の情報の一連の流れは、たとえば図６のように示すことができる。
【００８３】
まず、あらかじめ商品画像情報管理装置２に、商品画像情報、店舗情報、メーカ情報を登録しておき、それぞれのデータベースを作成する（１ａ）。作成された商品画像データベースは、商品画像情報記憶部２３に記憶され、店舗情報データベースは、店舗情報記憶部２４に記憶され、メーカ情報データベースは、メーカ情報記憶部２５に記憶される。また、この際、シール発行限度数を設定しても良い。シール発行限度数を設定する場合は、シール発行限度数記憶部２２に、あらかじめ所定の数値を登録しておく（１ｂ）。
【００８４】
図１７（ａ）に商品画像情報データベースの一例を、図１７（ｂ）に店舗情報データベースの一例を、図１７（ｃ）にメーカ情報データベースの一例をそれぞれ示す。図１７（ａ）において商品画像情報データベースは、商品ＩＤ９１と、画像ファイル識別子９２によって構成されている。商品ＩＤ９１は消費者が購入する商品に１対１に対応して予め付けられている。画像ファイル識別子９２は商品ＩＤ９１で表される商品に対応する商品画像情報の保管場所を示す情報であって、たとえば、ファイル名、フォルダ名とそれにアクセスするために必要なパス情報である。
【００８５】
図１７（ｂ）において店舗情報データベースは、店舗ＩＤ９３と、店名９４と住所９５と看板等９５によって構成されている。店舗ＩＤ９３は、消費者が当該商品を購入した店舗を表す為の情報であって、実店舗と１対１に対応して予め付されている。店名９４、住所９５、看板等９６は、当該メーカＩＤに対応する店舗の店舗名（例：バリッチ）、住所（例：東京都世田区・・）、看板（カタカナの「バ」を変形したもの）の画像が保存されている。
【００８６】
図１７（ｃ）においてメーカ情報データベースはメーカＩＤ９７と、メーカ名９８と、ロゴなど９９で構成されている。メーカＩＤ９７は、当該商品のメーカを一意に表すための識別子である。メーカ名９８、ロゴ等９９は、上記識別子に対応し、当該メーカの名称と当該メーカが商品に付して用いているロゴ（商標）を表している。上記示した各データベースの構造はリレーショナルデータベースを例にしているが、データベースの構造としてはこれに限らずＸＭＬ形式を用いてもよい。
【００８７】
そして、ユーザＡが店舗にて商品の購入を要求する（２）。そうすると、店舗装置１は当該商品の代金決済を兼ねて、当該商品に付されている商品情報を読み取って商品情報受付部１１にて商品情報を取得する（３ａ）。取得された商品情報は、購入品目記憶部１２に一旦記憶され、全ての商品に関する商品情報の受け付け終了後、レシート情報生成部１４へ送る。この際、代金決済においてユーザＡが購入店舗の会員カードやクレジットカードが提示された場合は、当該カードからユーザ識別情報を読み取ってユーザ情報受付部１３にてユーザ識別情報を取得する（３ｂ）。なお、代金決済においてユーザＡがカードを利用せず、現金で行った場合は、ユーザ識別情報の取得は行われない。
【００８８】
次いで、店舗装置１は商品情報の取得に伴って、商品の販売（購入）日や販売店舗名、販売数量などといった商品の販売時に得られる情報からなるレシート情報をレシート情報生成部１４にて生成するとともに、シール発行要求を許可する識別情報を発行する（４）。この際、ユーザ識別情報の取得がなされている場合、ユーザ識別情報はこのレシート情報に含まれる。店舗装置１は、生成されたレシート情報及び識別情報が表示された商品購買履歴出力媒体としてのレシート５をレシート発行部１６にて出力（印刷）する（５）。このレシート５は、たとえば図９に示すような形式にすることができる。レシート５には、商品購入履歴情報としての購入した商品の商品情報５１と、購入店舗情報５２と、購入日情報５３と、レシート情報としてのレシート番号５４などが表示されている。
【００８９】
また、店舗装置１は、生成されたレシート情報及び識別情報をレシート情報送信部１５より商品画像情報管理装置２へ送信する（６）。レシート情報送信部１５より送信されたレシート情報及び識別情報は、商品画像情報管理装置２のレシート情報受信部２０にて受け付け、引き続きレシート情報登録部２１において登録する（７）。
【００９０】
そして、ユーザＡがシール発行要求装置３に対してシールの発行を要求する（８）。そうすると、シール発行要求装置３は、シール発行要求識別情報入力部３１にてシール発行要求に対する意思表示として、シール発行要求のあった画像情報を特定するための識別情報の入力を受け付ける（９）。識別情報を受け付けると、シール発行要求装置３は、シール発行要求情報生成部３２にて識別情報を含む所望の商品画像が表示されたシール発行のためのシール発行要求情報を生成する（１０）。シール発行要求装置３は、生成したシール発行要求情報をシール発行要求情報送信部３３より商品画像情報管理装置２へ送信する（１１）。
【００９１】
シール発行要求装置３のシール発行要求情報送信部３３より送信されたシール発行要求情報は、商品画像情報管理装置２のシール発行要求情報受信部２９にて受け付ける（１２）。そうすると、このシール発行要求情報はシ−ル発行条件判断部２６へ送られ、シ−ル発行条件判断部２６は受け取ったシール発行要求情報に含まれる識別情報を基に、レシート情報登録部２１に登録されたレシート情報を参照し、さらに、シール発行限度数記憶部２２のシール発行許可設定限度数を参照して、要求された画像情報に発行限度数が設定されているか否か、及び発行限度数が設定されている場合は発行限度数以内であるか否か判断する（１３）。
【００９２】
次いで、シール発行可である場合は、シール発行要求情報はシール発行情報生成部２７へ送られ、レシート情報登録部２１を参照して取得した商品情報に基づき、商品画像情報記憶部２３を参照して要求のあった商品画像情報、店舗情報記憶部２４を参照して当該商品を購入した店舗情報、またはメーカ情報記憶部２５を参照して当該商品を製造したメーカ情報を抽出する(１４)。また、シール発行情報生成部２７は、抽出した商品画像情報等にシール発行の指示情報を含めてシール発行指示情報を生成する（１５）。そして、生成されたシール発行指示情報は、シール発行情報送信部３０よりシール発行装置４へ送信する（１６）。
【００９３】
その後、商品画像情報管理装置２のシール発行情報送信部３０より送信されたシール発行指示情報は、シール発行装置４のシール発行情報受信部４１にて受け付ける（１７）。シール発行指示情報を受け付けると、シール発行装置４は、シール印刷情報生成部４２にて受け取ったシール発行の指示に従い当該シール発行指示情報に含まれる商品画像が表示されたシールを出力するためのシール印刷情報を生成し、このシール印刷情報をシール印刷部４３へ送って消費者が購入した商品画像が表示された商品画像シール６を印刷し発行する（１８）。この商品画像シール６は、たとえば図１０から図１２に示すような様式にすることができる。図１０に示す商品画像シール６Ａには、購入した商品に関する商品画像６１とともに、製造メーカのロゴマーク６２が表示されている。また、図１１に示す商品画像シール６Ｂには、購入した商品に関する商品画像６１とともに、商品の販売（購入先）店舗名６３が表示されている。また、図１２に示す商品画像シール６Ｃには、購入した商品に関する商品画像６１とともに、商品の販売日もしくは商品の製造番号６４が表示されている。なお、商品画像６１とともに表示されているこれら製造メーカのロゴマーク６２や商品の販売（購入先）店舗名６３、商品の販売日もしくは商品の製造番号６４は、シール発行要求の際に行えば適宜組み合わせて表示することも可能である。
【００９４】
また、商品ではなくサービスを享受した際に得ることができる図示しない画像情報出力媒体の一例を示す。享受したサービスが映画鑑賞やスポーツ観戦であるならば、鑑賞した映画の名場面や、スポーツのハイライトシーンを画像情報として表し、鑑賞した日時と場所、鑑賞した（シールを得た）者の氏名が印刷される。
【００９５】
次に、以上のような構成の商品画像出力媒体発行システムにおける店舗装置１での動作の一例を説明する。図７は、その流れを示すフローチャートである。図７に示すように、まず、店舗装置１は商品情報を受け付けるよう待機し、消費者の商品の購入における代金決済に伴って商品情報を商品情報受付部１１が受け付ける（Ｓ１１参照）。また、ユーザ識別情報をユーザ情報受付部１３が受け付ける（Ｓ１２参照）。
【００９６】
次いで、店舗装置１は商品情報受付部１１にて受け付けた商品情報を購入品目記憶部１２に一旦送り、ユーザが購入する全ての商品に関する商品情報の受付が完了した後、レシート情報生成部１４へ送る。また、店舗装置１はユーザ情報受付部１３にて受け付けたユーザ識別情報をレシート情報生成部１４へ送る。レシート情報生成部１４では、送られた商品情報及びユーザ識別情報に基づきレシート情報を生成する（Ｓ１３参照）。この際、店舗装置１はレシート情報の生成とともに、シールの発行要求を許可する識別情報を発行する。
【００９７】
次いで、店舗装置１は生成したレシート情報をレシート発行部１６へ送ってレシートを発行する指示を行う（Ｓ１４参照）。レシート発行部１６は、レシート情報を受け取ってレシートを発行する（Ｓ１５参照）。一方、店舗装置１は生成したレシート情報をレシート情報送信部１５へ送り、レシート情報送信部１５より商品画像情報管理装置２へ送信する（Ｓ１６参照）。これにより、店舗装置１での商品情報を受け付けに伴う一連の動作は終了（エンド）する。
【００９８】
また、以上のような構成の商品画像出力媒体発行システムにおける商品画像情報管理装置２での動作の一例を説明する。図８は、その流れを示すフローチャートである。図８に示すように、まず、商品画像情報管理装置２は、店舗装置１よりレシート情報を受け付けるよう待機し、このレシート情報をレシート情報受信部２０が受け付ける（Ｓ２１参照）。次いで、商品画像情報管理装置２は、シール発行要求受付装置３よりシール発行要求情報を受け付けるよう待機し、このシール発行要求情報をシール発行要求情報受信部２９が受け付けたか否か判断する（Ｓ２２参照）。
【００９９】
その結果、シール発行要求情報受信部２９がシール発行要求情報を受け付けた場合は、引き続きシール発行条件判断部２６にてシール発行可能か否か判断する（Ｓ２３参照）。一方、シール発行要求情報受信部２９がシール発行要求情報を受け付けていない場合は、引き続きシール発行要求情報受信部２９がシール発行要求情報を受け付けたか否か判断する（Ｓ２２参照）。そして、シール発行条件判断部２６での判断の結果、シール発行が可能な場合は、シール発行情報生成部２７にて要求のあった商品画像を抽出する（Ｓ２４参照）。一方、シール発行が不可である場合は、そのまま商品画像情報管理装置２でのシール発行指示における一連の動作は終了（エンド）する。
【０１００】
また、シール発行情報生成部２７では、商品画像の抽出とともに、当該商品画像情報を含むシール発行指示情報を生成する（Ｓ２５参照）。その後、商品画像情報管理装置２は、生成されたシール発行指示情報をシール発行情報送信部３０へ送り、シール発行情報送信部３０よりシール発行装置４へ送信する（Ｓ２６参照）。これにより、商品画像情報管理装置２でのシール発行指示における一連の動作は終了（エンド）する。
【０１０１】
なお、本発明は、上記実施形態に限らず、店舗にて商品の購入を行い、シール発行要求がある前にあらかじめ発行シール情報を生成することも出来る。そして、この際の情報の一連の流れは、たとえば図１３のように示すことが出来る。
【０１０２】
まず、あらかじめ商品画像情報管理装置２に、商品画像情報、店舗情報、メーカ情報を登録しておき、それぞれのデータベースを作成する（２１ａ）。作成された商品画像データベースは、商品画像情報記憶部２３に記憶され、店舗情報データベースは、店舗情報記憶部２４に記憶され、メーカ情報データベースは、メーカ情報記憶部２５に記憶される。また、この際、シール発行限度数を設定しても良い。シール発行限度数を設定する場合は、シール発行限度数記憶部２２に、あらかじめ所定の数値を登録しておく（２１ｂ）。
【０１０３】
そして、ユーザＡが店舗にて商品の購入を要求すると（２２）、店舗装置１はその商品の代金決済を兼ねて、その商品に付されている商品情報を読み取って商品情報受付部１１にて商品情報を取得する（２３ａ）。取得された商品情報は、購入品目記憶部１２に一旦記憶され、全ての商品に関する商品情報の受け付け終了後、レシート情報生成部１４へ送る。この際、代金決済においてユーザＡが購入店舗の会員カードやクレジットカードが提示された場合は、当該カードからユーザ識別情報を読み取ってユーザ情報受付部１３にてユーザ識別情報を取得する（２３ｂ）。なお、代金決済においてユーザＡがカードを利用せず、現金で行った場合は、ユーザ識別情報の取得は行われない。
【０１０４】
次いで、店舗装置１は商品情報の取得に伴って、商品の販売（購入）日や販売店舗名、販売数量などといった商品の販売時に得られる情報からなるレシート情報をレシート情報生成部１４にて生成するとともに、シール発行要求を許可する識別情報を発行する（２４）。この際、ユーザ識別情報の取得がなされている場合、ユーザ識別情報はこのレシート情報に含まれる。店舗装置１は、生成されたレシート情報及び識別情報が表示された商品購買履歴出力媒体としてのレシート５をレシート発行部１６にて出力（印刷）する（２５）。このレシート５は、たとえば図９に示すことが出来る。レシート５には、商品購入履歴情報としての購入した商品の商品情報５１と、購入店舗情報５２と、購入日情報５３と、レシート情報としてのレシート番号５４などが表示されている。
【０１０５】
また、店舗装置１は、生成されたレシート情報及び識別情報をレシート情報送信部１５より商品画像情報管理装置２へ送信する（２６）。レシート情報送信部１５より送信されたレシート情報及び識別情報は、商品画像情報管理装置２のレシート情報受信部２０にて受け付け、引き続きレシート情報登録部２１において登録する（２７）。ここまでの流れは、店舗にて商品の購入を行い、シール発行要求があってから、発行シール情報を生成する前記実施形態での場合と同様である。
【０１０６】
そして、レシート情報登録部２１においてレシート情報及び識別情報を登録すると、引き続きレシート情報及び識別情報はシ−ル発行条件判断部２６へ送られ、シ−ル発行条件判断部２６は受け取った識別情報を基に、シール発行限度数記憶部２２のシール発行許可設定限度数を参照して、要求された画像情報に発行限度数が設定されているか否か、及び発行限度数が設定されている場合は発行限度数以内であるか否か判断する（２８）。
【０１０７】
次いで、シール発行可である場合は、レシート情報及び識別情報はシール発行情報生成部２７へ送られ、取得した商品情報に基づき、商品画像情報記憶部２３を参照して要求のあった商品画像情報、店舗情報記憶部２４を参照して当該商品を購入した店舗情報、またはメーカ情報記憶部２５を参照して当該商品を製造したメーカ情報を抽出する(２９)。また、シール発行情報生成部２７は、抽出した商品画像情報等にシール発行の指示情報を含めてシール発行指示情報を生成し、この生成したシール発行指示情報をシール発行情報記憶部２８に保存する（３０）。
【０１０８】
そして、ユーザＡがシール発行要求装置３に対してシールの発行を要求すると（３１）、シール発行要求装置３は、シール発行要求識別情報入力部３１にてシール発行要求に対する意思表示として、シール発行要求のあった画像情報を特定するための識別情報の入力を受け付ける（３２）。識別情報を受け付けると、シール発行要求装置３は、シール発行要求情報生成部３２にて識別情報を含む所望の商品画像が表示されたシール発行のためのシール発行要求情報を生成する（３３）。シール発行要求装置３は、生成したシール発行要求情報をシール発行要求情報送信部３３より商品画像情報管理装置２へ送信する（３４）。
【０１０９】
シール発行要求装置３のシール発行要求情報送信部３３より送信されたシール発行要求情報は、商品画像情報管理装置２のシール発行要求情報受信部２９にて受け付ける（３５）。そうすると、シール発行指示情報を保存したシール発行情報記憶部２８を参照し、シール発行要求情報受信部２９にて受け付けたシール発行要求情報に含まれる識別情報を基に所望の商品画像が抽出されているシール発行指示情報を抽出して、抽出したシール発行指示情報をシール発行情報送信部３０よりシール発行装置４へ送信する（３６）。
【０１１０】
その後、商品画像情報管理装置２のシール発行情報送信部３０より送信されたシール発行指示情報は、シール発行装置４のシール発行情報受信部４１にて受け付ける（３７）。シール発行指示情報を受け付けると、シール発行装置４は、シール印刷情報生成部４２にて受け取ったシール発行の指示に従い当該シール発行指示情報に含まれる商品画像が表示されたシールを出力するためのシール印刷情報を生成し、このシール印刷情報をシール印刷部４３へ送って消費者が購入した商品画像が表示された商品画像シール６を印刷し発行する（３８）。この際の商品画像シール６もまた、図１０から図１２のように示すことが出来る。
【０１１１】
そして、以上のような構成の商品画像出力媒体発行システムにおける商品画像情報管理装置２での動作の他の例を説明する。図１４は、その流れを示すフローチャートである。図１４に示すように、まず、商品画像情報管理装置２は、店舗装置１よりレシート情報を受け付けるよう待機し、このレシート情報をレシート情報受信部２０が受け付ける（Ｓ５１参照）。次いで、商品画像情報管理装置２は、シール発行要求情報受信部２９がシール発行要求情報を受け付けた後、引き続きシール発行条件判断部２６にてシール発行可能か否か判断する（Ｓ５２参照）。その結果、シール発行が可能な場合は、商品画像情報記憶部２３を参照してシール発行情報生成部２７にて要求のあった商品画像を抽出し、シール発行情報記憶部２８に保存する（Ｓ５３参照）。一方、シール発行が不可である場合は、そのまま商品画像情報管理装置２でのシール発行指示における一連の動作は終了（エンド）する。
【０１１２】
商品画像情報管理装置２は、シール発行要求受付装置３よりシール発行要求情報を受け付けるよう待機し、このシール発行要求情報をシール発行要求情報受信部２９が受け付けたか否か判断する（Ｓ５４参照）。その結果、シール発行要求情報受信部２９がシール発行要求情報を受け付けた場合は、シール発行情報記憶部２８を参照してシール発行要求情報受信部２９にて受け付けたシール発行要求情報に含まれる識別情報を基に所望の商品画像が抽出されているシール発行情報を抽出する（Ｓ５５参照）。一方、シール発行要求情報受信部２９がシール発行要求情報を受け付けていない場合は、引き続きシール発行要求情報受信部２９がシール発行要求情報を受け付けたか否か判断する（Ｓ５４参照）。
【０１１３】
シール発行情報生成部２７では、抽出されたシール発行情報を含むシール発行指示情報を生成する（Ｓ５６参照）。その後、商品画像情報管理装置２は、生成されたシール発行指示情報をシール発行情報送信部３０へ送り、シール発行情報送信部３０よりシール発行装置４へ送信する（Ｓ５７参照）。これにより、商品画像情報管理装置２でのシール発行指示における一連の動作は終了（エンド）する。
【０１１４】
本発明は、上記実施形態に限らず、店舗にて商品の購入及びシール発行の要求を行うようにしても良い。そして、この際の商品画像出力媒体発行システムにおける店舗装置１での動作の他の例を説明する。図１５は、その流れを示すフローチャートである。図１５に示すように、まず、店舗装置１は商品情報を受け付けるよう待機し、消費者の商品の購入における代金決済に伴って商品情報を商品情報受付部１１が受け付ける（Ｓ６１参照）。また、ユーザ識別情報をユーザ情報受付部１３が受け付ける（Ｓ６２参照）。
【０１１５】
次いで、店舗装置１は商品情報受付部１１にて受け付けた商品情報を購入品目記憶部１２に一旦送り、ユーザが購入する全ての商品に関する商品情報の受付が完了した後、レシート情報生成部１４へ送る。また、店舗装置１はユーザ情報受付部１３にて受け付けたユーザ識別情報をレシート情報生成部１４へ送る。レシート情報生成部１４では、送られた商品情報及びユーザ識別情報に基づきレシート情報を生成する（Ｓ６３参照）。この際、店舗装置１はレシート情報の生成とともに、シールの発行要求を許可する識別情報を発行する。
【０１１６】
次いで、店舗装置１は生成したレシート情報をレシート発行部１６へ送ってレシートを発行する指示を行う（Ｓ６４参照）。レシート発行部１６は、レシート情報を受け取ってレシートを発行する（Ｓ６５参照）。また、店舗装置１は引き続きユーザよりシール発行要求を受け付けるよう待機し、シール発行要求が有ったか否か判断する（Ｓ６６参照）。
【０１１７】
その結果、シール発行要求が有った場合は、シール発行要求識別情報入力部３１がシール発行要求を受け付ける（Ｓ６７参照）。一方、シール発行要求が無い場合は、店舗装置１は生成したレシート情報をレシート情報送信部１５へ送り、レシート情報送信部１５より商品画像情報管理装置２へ送信する（Ｓ７０参照）。これにより、店舗装置１での商品情報を受け付けに伴う一連の動作は終了（エンド）する。
【０１１８】
シール発行要求識別情報入力部３１がシール発行要求を受け付けると、シール発行要求情報生成部３２は、シール発行要求識別情報入力部３１にて受け付けた識別情報を受け取って、商品画像情報管理装置２へ送信することとなる所望の画像が表示されたシール発行要求情報を生成する（Ｓ６８参照）。その後、シール発行要求情報生成部３２にて生成されたシールの発行要求情報は、レシート情報とともにシール発行要求情報送信部３３へ送り、シール発行情報送信部３０より商品画像情報管理装置２へ送信する（Ｓ６９参照）。これにより、シール発行要求受付装置３と一体になった店舗装置１でのシール発行指示における一連の動作は終了（エンド）する。
【０１１９】
本発明は、上記実施形態に限らず、店舗にて商品の購入、シール発行の要求、及びシールの発行を行うようにしても良い。そして、この際の商品画像出力媒体発行システムにおける店舗装置１での動作の他の例を説明する。図１６は、その流れを示すフローチャートである。図１６に示すように、まず、店舗装置１は商品情報を受け付けるよう待機し、消費者の商品の購入における代金決済に伴って商品情報を商品情報受付部１１が受け付ける（Ｓ８１参照）。また、ユーザ識別情報をユーザ情報受付部１３が受け付ける（Ｓ８２参照）。
【０１２０】
次いで、店舗装置１は商品情報受付部１１にて受け付けた商品情報を購入品目記憶部１２に一旦送り、ユーザが購入する全ての商品に関する商品情報の受付が完了した後、レシート情報生成部１４へ送る。また、店舗装置１はユーザ情報受付部１３にて受け付けたユーザ識別情報をレシート情報生成部１４へ送る。レシート情報生成部１４では、送られた商品情報及びユーザ識別情報に基づきレシート情報を生成する（Ｓ８３参照）。この際、店舗装置１はレシート情報の生成とともに、シールの発行要求を許可する識別情報を発行する。
【０１２１】
次いで、店舗装置１は生成したレシート情報をレシート発行部１６へ送ってレシートを発行する指示を行う（Ｓ８４参照）。レシート発行部１６は、レシート情報を受け取ってレシートを発行する（Ｓ８５参照）。また、店舗装置１は引き続きユーザよりシール発行要求を受け付けるよう待機し、シール発行要求が有ったか否か判断する（Ｓ８６参照）。
【０１２２】
その結果、シール発行要求が有った場合は、シール発行要求識別情報入力部３１がシール発行要求を受け付ける（Ｓ８７参照）。一方、シール発行要求が無い場合は、店舗装置１は生成したレシート情報をレシート情報送信部１５へ送り、レシート情報送信部１５より商品画像情報管理装置２へ送信する（Ｓ９２参照）。これにより、店舗装置１での商品情報を受け付けに伴う一連の動作は終了（エンド）する。
【０１２３】
シール発行要求識別情報入力部３１がシール発行要求を受け付けると、シール発行要求情報生成部３２は、シール発行要求識別情報入力部３１にて受け付けた識別情報を受け取って、商品画像情報管理装置２へ送信することとなる所望の画像が表示されたシール発行要求情報を生成する（Ｓ８８参照）。その後、シール発行要求情報生成部３２にて生成されたシールの発行要求情報は、レシート情報とともにシール発行要求情報送信部３３へ送り、シール発行情報送信部３０より商品画像情報管理装置２へ送信する（Ｓ８９参照）。
【０１２４】
店舗装置１は引き続き商品画像情報管理装置２よりシール発行指示を受け付けるよう待機し、シール発行指示が有ったか否か判断する（Ｓ９０参照）。その結果、シール発行指示が有った場合は、シール発行情報受信部４１にてシール発行指示情報を受け付ける（Ｓ９１参照）。一方、シール発行指示が無かった場合は、これにより一連の動作は終了（エンド）する。
【０１２５】
その後、シール発行情報受信部４１にてシール発行指示情報を受け付けると、シール印刷情報生成部４２にて受け取ったシール発行の指示に従い当該シール発行指示情報に含まれる商品画像が表示されたシールを出力するためのシール印刷情報を生成し、このシール印刷情報をシール印刷部４３へ送って消費者が購入した商品画像が表示された商品画像シール６を印刷し発行する（Ｓ９２参照）。これにより、シール発行要求受付装置３及びシール発行装置４と一体になった店舗装置１でのシール発行指示における一連の動作は終了（エンド）する。
【０１２６】
以上説明した実施の形態に限らず、商品画像情報管理装置に蓄積される、各消費者のレシート情報を元にすることで、同じ時間に同じ場所で、同じような購入をしている人物を特定することが可能となる。このような情報を消費者自らが検索し、自分と同じような行動をしている他人を抽出し、交流するサービスを提供することも可能となる。
本発明にかかる装置、システムなどによって得ることができるシールなどの画像出力媒体は、購入した例えば有名ブランドの商品画像や、映画、スポーツの試合などの感動的なシーンなどを記録することができ、併せて、その特定の商品、映画、スポーツの試合などにまつわるデータを記録することができ、しかも、その画像出力媒体を取得するには一定の条件を満足している必要があるため、画像出力媒体を収拾すること自体が楽しく、画像出力媒体を見せ合うことで、コミュニケーションがより深くかつ広くなる利点がある。また、このような収集の楽しみ、コミュニケーションの広がりによって、消費の拡大を期待することができる。
【図面の簡単な説明】
【０１２７】
【図１】本発明の実施の形態に係る商品画像出力媒体発行方法を実施するためのシステムの一例を概略的に示す全体構成図である。
【図２】本発明の実施の形態に係る商品画像出力媒体発行システムに用いられる第一の装置の構成を簡略的に示すブロック図である。
【図３】本発明の実施の形態に係る商品画像出力媒体発行システムに用いられる第二の装置の構成を簡略的に示すブロック図である。
【図４】本発明の実施の形態に係る商品画像出力媒体発行システムに用いられる第三の装置の構成を簡略的に示すブロック図である。
【図５】本発明の実施の形態に係る商品画像出力媒体発行システムに用いられる第四の装置の構成を簡略的に示すブロック図である。
【図６】本発明の実施の形態に係る商品画像出力媒体発行方法の流れの一例を示すシーケンス図である。
【図７】本発明の実施の形態に係る商品画像出力媒体発行システムに用いられる第一の装置における流れの一例を示すフローチャートである。
【図８】本発明の実施の形態に係る商品画像出力媒体発行システムに用いられる第二の装置における流れの一例を示すフローチャートである。
【図９】本発明の実施の形態に係る商品画像出力媒体発行システムに用いられる商品購買履歴出力媒体の一例を示す図である。
【図１０】本発明の実施の形態に係る商品画像出力媒体発行システムに用いられる画像出力媒体の一例を示す図である。
【図１１】本発明の実施の形態に係る商品画像出力媒体発行システムに用いられる画像出力媒体の第二の例を示す図である。
【図１２】本発明の実施の形態に係る商品画像出力媒体発行システムに用いられる画像出力媒体の第三の例を示す図である。
【図１３】本発明の実施の形態に係る商品画像出力媒体発行方法の流れの第二の例を示すシーケンス図である。
【図１４】本発明の実施の形態に係る商品画像出力媒体発行システムに用いられる第二の装置における流れの第二の例を示すフローチャート図である。
【図１５】本発明の実施の形態に係る商品画像出力媒体発行システムに用いられる第五の装置における流れの一例を示すフローチャートである。
【図１６】本発明の実施の形態に係る商品画像出力媒体発行システムに用いられる第六の装置における流れの一例を示すフローチャートである。
【図１７】本発明の実施の形態に係る商品画像出力媒体発行システムに用いられる第二の装置におけるデータベースの構造を表す説明図である。
【符号の説明】
【０１２８】
１・・・店舗装置、２・・・商品画像情報管理装置、３・・・商品画像出力媒体（シール）発行要求受付装置、４・・・商品画像出力媒体（シール）発行装置、５・・・商品購買履歴出力媒体（レシート）、６・・・商品画像出力媒体（シール）。
【要約】
【課題】  消費者の購買活動と連動し、自らの購買記録となり得る商品または役務の画像情報が表示された、商品画像シールのような画像出力媒体を発行する。
【解決手段】  消費者Ａの商品購入に伴い、店舗装置１は商品情報を取得する（１）。この商品情報に基づき商品購買履歴情報及び識別情報が表示されたレシート５を出力する（２ａ）。店舗装置１は商品購買履歴情報及び識別情報を商品画像情報管理装置２へ送る（２ｂ）。シール発行要求受付装置３にて商品画像が表示されたシールの発行を要求する（３）。シール発行要求受付装置３はシール発行要求を受け付け、その情報を商品画像情報管理装置２へ送る（４）。商品画像情報管理装置２は、シール発行要求のあった商品画像情報を抽出し、シール発行の指示と共にシール発行装置４へ送る（５）。シール発行装置４は、シール発行指示に従って商品画像が表示されたシール６を消費者Ａへ発行する（６）。
【選択図】図１
【図１】
0003607910.tif 000002
【図２】
0003607910.tif 000003
【図３】
0003607910.tif 000004
【図４】
0003607910.tif 000005
【図５】
0003607910.tif 000006
【図６】
0003607910.tif 000007
【図７】
0003607910.tif 000008
【図８】
0003607910.tif 000009
【図９】
0003607910.tif 000010
【図１０】
0003607910.tif 000011
【図１１】
0003607910.tif 000012
【図１２】
0003607910.tif 000013
【図１３】
0003607910.tif 000014
【図１４】
0003607910.tif 000015
【図１５】
0003607910.tif 000016
【図１６】
0003607910.tif 000017
【図１７】
0003607910.tif 000018